(57)【要約】　　　（修正有）【課題】他の改ざん防止シールを覆い隠すことのない改ざん防止シール，ならびに他の改ざん防止シールによって覆い隠されることのない改ざん防止シールを提案することにより，一般家庭用に広く改ざん防止シールが流通した場合であっても，重要な用途に使われる改ざん防止シールの効果がそこなわれないようにする。【解決手段】互いに他を覆い隠すことのない形状を特徴とする改ざん防止シール。基本図形部２とその外周に配置した半島部１とからなる形状を有することを特徴とする改ざん防止シール。さらに，医薬品など重要な用途で使われる改ざん防止シールを覆い隠すことのない形状を有する一般家庭用の改ざん防止シール。【選択図】　　　　　図１
2004037752.tif 000002
【特許請求の範囲】
【請求項１】
他の改ざん防止シールを覆い隠すことがない形状を有することを特徴とする改ざん防止シール。
【請求項２】
他の改ざん防止シールと同じ基本図形部の外周に，他の改ざん防止シールの半島部とは場所または形状をかえた半島部を有することを特徴とする，請求項１記載の改ざん防止シール。
【請求項３】
医薬品用など生命の維持にかかわる重要な用途に使われている改ざん防止シールの幅（高さ）よりも，幅（高さ）が小さいことを特徴とする，重要な用途に使われている改ざん防止シールを覆い隠すことのできない改ざん防止シール。
【請求項４】
他の改ざん防止シールでは覆い隠すことのできない形状を有することを特徴とする改ざん防止シール。
【請求項５】
他の改ざん防止シールと同じ基本図形部の外周に，他の改ざん防止シールの半島部とは場所または形状をかえた半島部を有することを特徴とする，請求項４記載の改ざん防止シール。
【請求項６】
一般家庭用など重要性の低い用途に使われる改ざん防止シールの幅（高さ）よりも，幅（高さ）が大きいことを特徴とする，重要性の低い用途に使われる改ざん防止シールでは覆い隠すことのできない形状を有することを特徴とする改ざん防止シール。
【発明の詳細な説明】
【０００１】
【発明が属する技術分野】
この発明は，改ざん防止シールの形状に関するものである。
【０００２】
【従来の技術】
改ざん防止シールとは，一度はがすと”開封済”などの文字が現われるシールである。多くの場合，貼りつけたシールは灰色である。そして，シールをはがしたとき下地に灰色の”開封済”の文字が残り，他方でシール側には灰色背景に透明な”開封済”の文字が抜けて見える。
改ざん防止シールは，医薬品，食品，または手紙などが輸送中や保管中などに第三者に開封されていないことを確認するため，それらの包装容器に貼られる。
従来の改ざん防止シールの形状は，図２６に示すような角の丸い長方形，長方形，または楕円形である。また，日本工業規格などに，その形状に関する統一規格は無く，使用者ごとに異なった形状の改ざん防止シールを採用している。
【０００３】
【発明が解決しようとする課題】
従来の改ざん防止シールは，一度はがすと”開封済”などの文字が現われることにより，開封されたことがわかるようになっている。一般家庭でも手紙の封印などに利用すると便利であると思われる。
しかしながら，従来の技術によれば，はがした改ざん防止シールを廃棄して，下地に残った文字の上から新たな改ざん防止シールを重ねて貼ると，下地に残っている”開封済”などの文字が覆い隠されてしまい，開封されたかどうかが，外観からは判らなくなってしまうという短所がある。
そのため，新品の改ざん防止シールが一般家庭に広く流通すると，いたずらなどのおそれが高まり，医薬品など生命の維持にかかわる重要な用途に使われている改ざん防止シールの効果が半減してしまうというおそれがある。よって，一般家庭用の改ざん防止シールの販売は自粛しなければならないという欠点があった。そこで，この発明は，改ざん防止シールが広く流通した場合であっても，重要な用途に使われている改ざん防止シールの効果が損なわれることのないよう，形状に特徴のある改ざん防止シールを提供することを課題とする。
また，この発明がもととなって，改ざん防止シールの形状について，統一規格が用意されることを期待する。
【０００４】
【課題を解決するための手段】
以上の課題を解決するために，請求項１の発明は，他の改ざん防止シールを覆い隠すことのない形状を有することを特徴とする改ざん防止シールである。
また，請求項２の発明は，他の改ざん防止シールを覆い隠すことのない形状を有し，その形状は，他の改ざん防止シールと同じ基本図形部の外周に，他の改ざん防止シールとは場所または形状をかえた半島部を有することを特徴とする，改ざん防止シールである。
また，請求項３の発明は，他の重要な用途に使われている改ざん防止シールを覆い隠すことのない形状を有し，その形状は，医薬品用など生命の維持にかかわる重要な用途に使われている改ざん防止シールの幅（高さ）よりも，幅（高さ）が小さいことを特徴とする改ざん防止シールである。
また，請求項４の発明は，他の改ざん防止シールでは覆い隠すことのできない形状を有することを特徴とする改ざん防止シールである。
また，請求項５の発明は，他の改ざん防止シールでは覆い隠すことのできない形状を有し，他の改ざん防止シールと同じ基本図形部の外周に，他の改ざん防止シールの半島部とは場所または形状をかえた半島部を有することを特徴とする改ざん防止シールである。
また，請求項５の発明は，他の重要性の低い用途に使われている改ざん防止シールでは覆い隠すことのできない形状を有し，一般家庭用など重要性の低い用途に使われる改ざん防止シールの幅（高さ）よりも，幅（高さ）が大きいことを特徴とする，改ざん防止シールである。
【０００５】
【実施の形態】
この発明の一実施形態を，図１に示す。
改ざん防止シールの形状は，基本図形部と半島部からなっており，１または２以上の半島部は基本図形部の外周に，他の半島部と接するか，または他の半島部と離して設けられている。
また，図２は図１と同様な基本図形部と半島部からなる改ざん防止シールの形状であるが，２つある半島部のうち右側の半島部の位置が，図１の改ざん防止シールの半島部の位置とは異なっている。
【０００６】
【実施形態の効果】
さて，図１の改ざん防止シールをはがした後で，新たに図２の改ざん防止シールを貼る場合を考えてみる。このとき，下地に残った図１の改ざん防止シールの形状のうち，基本図形部および左側の半島部を図２の形状を有する新たな改ざん防止シールで覆い隠すことはできる。しかしながら，下地に残った図１の改ざん防止シールの右側の半島部１の部分は，図２の改ざん防止シールでは覆い隠すことができず，２つの半島部のすき間から３として観察される。よって，ひとたび開封したということが，わかってしまう。
【０００７】
【他の実施形態】
一実施形態として，基本図形部として正方形を用い，その外周に２つの半島部を設けた場合を示した。半島部が互いに重ならないように，かつ半島部の位置を半島部の底辺の長さの整数倍間隔で，基本図形部の外周に配置するとすれば，互いに重なりあうことのない改ざん防止シールの形状を１９種類ほど用意できる。この様子をさらに図３から図１９に示す。
互いに重なりあうことのない改ざん防止シールを用意するということは，互いに形状が異なる改ざん防止シールを用意する必要があることである。よって改ざん防止シールの枚数だけ，その種類が必要となる。実用上は，１００万程度の種類を用意しておけば，同じ形状の改ざん防止シールの入手は困難といえると思われるが，種類が多ければ多いほど安心感を高めることとなる。
基本図形部として多角形や左右非対称な形を採用したり，半島部の数を増やしたり，あるいは複数の半島部の形状を互いに違えたり，また半島部を配置する間隔を半島部の底辺の長さの整数倍に限定しなければ，改ざん防止シールの形状を何万種類にも増やすことができる。
基本図形部として五角形を採用した実施形態を図２０に，半島部を３つに増やした実施形態を図２１に，複数の半島部の形状を互いに違えた実施形態を図２２に，また半島部を配置する間隔を半島部の底辺の長さの０．５倍とした実施形態を図２３に示す。
なお複数の基本図形部を用意するときは，どれか一つの基本図形部が他の図形を覆いかくすことのないよう，互いの形状，とくに大きさに配慮する。
さらに，この発明により改ざん防止シールの種類を増やす効果があることを確認するため，基本図形部として対称軸や回転軸を持たない形状を採用し，図２１から図２３で示した手法と組み合わせた他の実施形態を図２４に示す。
すなわち，この一実施形態においては，対称軸や回転軸を持たないゆがんだ卵型を基本図形部とし，その周囲に左右非対称の半島部を４つ設けた。半島部の形状は，基本サイズのものと，基本サイズよりも幅が２倍で高さが半分ものの２種とした。また，それぞれ右向きと左向きのものを１つずつ使うこととし，あわせて４種で４つの半島部を用意した。このときこれら４つの半島部は，外周上のどこに配置されても，互いに他の半島を覆い隠すことがない。
これらの半島部を配置する間隔は，基本サイズの半島部の底辺の長さの整数倍に係数０．５を掛けたものとした。
仮に，基本図形部の外周長が基本サイズの半島部の底辺の長さの２０倍であるとすると，４種の半島部を配置できる場所は４０カ所ずつとなるから，４種の半島部の配置をかえて作成できる改ざん防止シールの種類は４０の４乗で２５６万種類となる。
さらに外周長を長くしたり，基本図形部の形状をかえて基本図形部の種類を増やしたり，半島の形状や数を変更したりすることにより，いっそう多くの種類の改ざん防止シールを作成できる。
【０００８】
【さらに他の実施形態】
図１から図２４の実施形態では，すべての改ざん防止シールは互いに異なる形状を有していたが，さらに他の実施形態では，簡便法として，重要性の度合いに応じて２種の改ざん防止シールを使い分ける。
一般家庭用など重要性の低い用途に使われる改ざん防止シールの幅（高さ）は，医薬品など重要な用途に使われる改ざん防止シールの幅（高さ）よりも小さいものとする。立場をかえると，医薬品など重要な用途に使われる改ざん防止シールの幅（高さ）を，一般家庭用など重要性の低い用途に使われる改ざん防止シールの幅（高さ）よりも大きいものとすることでも良い。
図２５に重要性の低い用途に使うべき改ざん防止シールの形状を，図２６に重要な用途に使うべき改ざん防止シールの形状を示す。
ここで幅（高さ）と表現しているが，これは貼り付け直前に適宜切断して使用するためにセロハンテープのようにリボン状で改ざん防止テープを供給するときにはテープまたはリボンの幅であり，あらかじめ横長にカットしておいてから貼付け者へ供給するときにはシートの高さをいう。すなわち図２５の６を幅（高さ）という。
さて，作用について確認すると，重要な用途で使われる改ざん防止シールをはがしたあとで，下地に残った部分を，重要性の低い用途に使われる改ざん防止シールで覆い隠そうとしても，下地に残っている部分のほうが幅（高さ）が大きいために，はみ出してしまって覆い隠すことができない。よって，ひとたび開封したということが，わかってしまう。
なお，いずれの実施形態においても，形状や大きさについて，改ざん防止シールのサイズや形状について日本工業規格などの統一規格を用意し，供給者の合意を得ることが望ましい。また，改ざん防止シールの供給者には，裁断前の大きな形状のシートが一般に出回ることのないよう厳重な管理体制が，これからも引き続き望まれる。
【０００９】
【発明の効果】
以上に説明したように，この発明によれば，他の改ざん防止シールを覆い隠すことがない形状を有する改ざん防止シール，ならびに他の改ざん防止シールでは覆い隠すことのできない形状を有する改ざん防止シールを供給できるから，貼られている改ざん防止シールをいったんはがしてしまうと，たとえ新たな改ざん防止シールを持っていたとしても，それを用いて開封跡を覆い隠すことができない。すなわち，改ざん防止シールが一般家庭に広く流通した場合であっても，重要な用途に使われている改ざん防止シールの効果が損なわれるおそれがない。
その結果，改ざん防止シールの市場をさらに広げることができる。
【図面の簡単な説明】
【図１】正方形を基本図形部とする一実施形態の平面図。
【図２】正方形を基本図形部とする一実施形態の平面図。
【図３】正方形を基本図形部とする一実施形態の平面図。
【図４】正方形を基本図形部とする一実施形態の平面図。
【図５】正方形を基本図形部とする一実施形態の平面図。
【図６】正方形を基本図形部とする一実施形態の平面図。
【図７】正方形を基本図形部とする一実施形態の平面図。
【図８】正方形を基本図形部とする一実施形態の平面図。
【図９】正方形を基本図形部とする一実施形態の平面図。
【図１０】正方形を基本図形部とする一実施形態の平面図。
【図１１】正方形を基本図形部とする一実施形態の平面図。
【図１２】正方形を基本図形部とする一実施形態の平面図。
【図１３】正方形を基本図形部とする一実施形態の平面図。
【図１４】正方形を基本図形部とする一実施形態の平面図。
【図１５】正方形を基本図形部とする一実施形態の平面図。
【図１６】正方形を基本図形部とする一実施形態の平面図。
【図１７】正方形を基本図形部とする一実施形態の平面図。
【図１８】正方形を基本図形部とする一実施形態の平面図。
【図１９】正方形を基本図形部とする一実施形態の平面図。
【図２０】正方形を基本図形部とする一実施形態の平面図。
【図２１】半島部の数を増やした一実施形態の平面図。
【図２２】複数の半島部の形状を互いに違えた一実施形態の平面図。
【図２３】半島部の配置間隔を非整数倍とした一実施形態の平面図。
【図２４】手法を組み合わせた一実施形態の平面図。
【図２５】重要性の低い用途に使うべき改ざん防止シールの平面図。
【図２６】重要な用途に使うべき改ざん防止シールの平面図。
【符号の説明】
１　図２とは重ならない図１の半島部。
２　基本図形部。
３　図１の形状の改ざん防止シールをはがした後，下地に残っている部分のうち，図２の形状の改ざん防止シールでは覆い隠すことのできない部分。
４　半島部。
５　基本サイズの鱗型の底辺の長さ。
６　幅（高さ）。
【図１】
2004037752.tif 000003
【図２】
2004037752.tif 000004
【図３】
2004037752.tif 000005
【図４】
2004037752.tif 000006
【図５】
2004037752.tif 000007
【図６】
2004037752.tif 000008
【図７】
2004037752.tif 000009
【図８】
2004037752.tif 000010
【図９】
2004037752.tif 000011
【図１０】
2004037752.tif 000012
【図１１】
2004037752.tif 000013
【図１２】
2004037752.tif 000014
【図１３】
2004037752.tif 000015
【図１４】
2004037752.tif 000016
【図１５】
2004037752.tif 000017
【図１６】
2004037752.tif 000018
【図１７】
2004037752.tif 000019
【図１８】
2004037752.tif 000020
【図１９】
2004037752.tif 000021
【図２０】
2004037752.tif 000022
【図２１】
2004037752.tif 000023
【図２２】
2004037752.tif 000024
【図２３】
2004037752.tif 000025
【図２４】
2004037752.tif 000026
【図２５】
2004037752.tif 000027
【図２６】
2004037752.tif 000028